(57)【要約】【課題】本発明はマルチアングル自撮り光補充ライトを開示した。【解決手段】押し光補充装置と、吸着固定装置と、位置調節装置とを含み、光を補充する前、位置調節装置を利用して光補充ライトに調節を行い、調節過程は感度が良く、操作が簡単であり、光を補充する時に所要の方向と角度を達した後、ボタンを押し、吸着固定装置が定位でき、光補充装置を押して自撮りの光補充を行い、光を補充する過程の中で装置が安全で、光を補充する効果が良い。【選択図】図１
2020177899.tif 000002
【特許請求の範囲】
【請求項１】
正面視で、上下対称の第一固定ブロックを含み、前記第一固定ブロックの中には凹溝が設置され、前記凹溝の間に携帯を置くことができ、前記携帯の底端には充電口が設置され、前記第一固定ブロックの片側には位置調節装置が設置され、前記携帯の片側には円柱が設置され、前記円柱の外側には回転ブロックが回転できるように設置され、前記円柱の中には片側に開口した第一スライド溝が設置され、前記第一スライド溝の中には押し光補充装置が設置され、前記第一スライド溝のもう一つの片側には吸着固定装置が設置され、位置調節装置を利用して光補充の角度と位置を変えた後、ボタンを押して光補充ライトをつけて携帯に貼り付くことにより定位操作を実現することを特徴とするマルチアングル自撮り光補充ライト。
【請求項２】
前記位置調節装置を実現する具体実施方式を詳しく紹介し、前記位置調節装置は前記第一固定ブロックを含み、前記第一固定ブロックの中には片側に開口した位置制限溝が設置され、前記位置制限溝の中には工型スライダがスライドできるように設置され、前記工型スライダの間には対称のスライドロッドが固定的に設置され、前記円柱が前記スライドロッドにスライドできるように設置され、底端の前記第一固定ブロックには上下に貫通している連通溝が設置され、工型スライダをスライドさせることと光補充ライトと回転ブロックを回転させることにより自撮りする時の光補充の角度と方向を変えることを特徴とする請求項１に記載のマルチアングル自撮り光補充ライト。
【請求項３】
前記押し光補充装置は前記回転ブロックを含み、前記回転ブロックの頂端には光補充ライトが回転できるように設置され、前記光補充ライトの底端には第一接点が固定的に設置され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂端には第二接点が固定的に設置され、前記第二接点には電線が連結され、前記電線の末端にはプラグが固定的に設置され、前記プラグが前記連通溝の中に伸びて前記充電口に差し込むことができ、ボタンを押した後、第二接触点は環状電気伝導柱により光補充ライトに給電し、光補充ライトをつけて光を補充することを特徴とする請求項１に記載のマルチアングル自撮り光補充ライト。
【請求項４】
前記吸着固定装置は前記第一スライダを含み、前記第一スライダの片側には押しスイッチが固定的に設置され、前記第一スライダのもう一つの側には吸盤が固定的に設置され、前記第一スライダの底端には第一ばね復帰機構が固定的に設置され、前記第一ばね復帰機構は前記第二スライド溝を含み、前記第二スライド溝の中には第二スライダがスライドできるように設置され、前記第二スライド溝の片側端面と前記第二スライダとの間には第二ばねが固定的に連結され、前記押しスイッチの外側には磁気伝導金属が固定的に設置され、前記ボタンの一端には頂ブロックが固定的に設置され、前記頂ブロックの末端には第一永久磁石が固定的に設置され、前記吸盤の中には前記第一スライダと固定的に連結している第二固定ブロックが設置され、前記第二固定ブロックには第三スライダが上下対称的に、スライドできるように設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂端には第二ばね復帰機構が固定的に設置され、前記第三スライダと前記第二永久磁石との間には液圧パイプが伝動できるように設置され、ボタンが第一スライダを押して吸盤を携帯の裏面に吸着させ、再び押すと第三スライダが吸盤を押して吸盤の形を変化させ、これにより吸盤が携帯の裏面との吸着から離脱することを特徴とする請求項１に記載のマルチアングル自撮り光補充ライト。
【発明の詳細な説明】
【技術分野】
【０００１】
本発明は光補充ライト分野を取り上げて、具体的にはマルチアングル自撮り光補充ライトである。
【背景技術】
【０００２】
周知のように、人が自撮りをするとき、光補充ライトの方向と角度が撮った写真の品質に影響を与え、従来の光補充ライトは携帯に挟まれて角度と方向の調節ができなく、単一の方向又は角度に光を補充できなく、光を補充する時に環境に応じて調節することができなく、不便である。
そのため、マルチアングル自撮り光補充ライトを設計して上記の問題を解決する必要があり、マルチアングルの光補充を実現するとともに、設備の操作が簡単で、実用性が高い。
【先行技術文献】
【特許文献】
【０００３】
【特許文献１】中国特許出願公開第１０８８９７１８４号明細書
【発明の概要】
【発明が解決しようとする課題】
【０００４】
本発明が解決する技術問題はマルチアングル自撮り光補充ライトを提供し、それは上記の従来技術における問題を解決できる。
【課題を解決するための手段】
【０００５】
本発明は以下の技術プランを通じて実現する：本発明のマルチアングル自撮り光補充ライトは、上下対称の第一固定ブロックを含み、前記第一固定ブロックの中には凹溝が設置され、前記凹溝の間に携帯を置くことができ、前記携帯の底端には充電口が設置され、前記第一固定ブロックの片側には位置調節装置が設置され、前記携帯の片側には円柱が設置され、前記円柱の外側には回転ブロックが回転できるように設置され、前記円柱の中には片側に開口した第一スライド溝が設置され、前記第一スライド溝の中には押し光補充装置が設置され、前記第一スライド溝のもう一つの片側には吸着固定装置が設置されている。
【０００６】
前記位置調節装置は前記第一固定ブロックを含み、前記第一固定ブロックの中には片側に開口した位置制限溝が設置され、前記位置制限溝の中には工型スライダがスライドできるように設置され、前記工型スライダの間には対称のスライドロッドが固定的に設置され、前記円柱が前記スライドロッドにスライドできるように設置され、底端の前記第一固定ブロックには上下に貫通している連通溝が設置されている。
【０００７】
前記押し光補充装置は前記回転ブロックを含み、前記回転ブロックの頂端には光補充ライトが回転できるように設置され、前記光補充ライトの底端には第一接点が固定的に設置され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂端には第二接点が固定的に設置され、前記第二接点には電線が連結され、前記電線の末端にはプラグが固定的に設置され、前記プラグが前記連通溝の中に伸びて前記充電口に差し込むことができる。
【０００８】
好ましくは、前記吸着固定装置は前記第一スライダを含み、前記第一スライダの片側には押しスイッチが固定的に設置され、前記第一スライダのもう一つの側には吸盤が固定的に設置され、前記第一スライダの底端には第一ばね復帰機構が固定的に設置され、前記第一ばね復帰機構は前記第二スライド溝を含み、前記第二スライド溝の中には第二スライダがスライドできるように設置され、前記第二スライド溝の片側端面と前記第二スライダとの間には第二ばねが固定的に連結され、前記押しスイッチの外側には磁気伝導金属が固定的に設置され、前記ボタンの一端には頂ブロックが固定的に設置され、前記頂ブロックの末端には第一永久磁石が固定的に設置され、前記吸盤の中には前記第一スライダと固定的に連結している第二固定ブロックが設置され、前記第二固定ブロックには第三スライダが上下対称的に、スライドできるように設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂端には第二ばね復帰機構が固定的に設置され、前記第三スライダと前記第二永久磁石との間には液圧パイプが伝動できるように設置されている。
【発明の効果】
【０００９】
以上のように、本発明のマルチアングル自撮り光補充ライトは運動エネルギーを巧みに利用し、感度がよく、操作が簡単であり、同時に、本発明の装置が正確的に定位でき、取り外しとメンテナンスが簡単であり、実用性が高い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のマルチアングル自撮り光補充ライトの全体構成模式図
【図２】図２は図１のＡの拡大構成模式図
【図３】図３は図１のＢの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３に示すように、本発明のマルチアングル自撮り光補充ライトは、上下対称の第一固定ブロック２７を含み、前記第一固定ブロック２７の中には凹溝２６が設置され、前記凹溝２６の間に携帯２５を置くことができ、前記携帯２５の底端には充電口２４が設置され、前記第一固定ブロック２７の片側には位置調節装置９０が設置され、前記携帯２５の片側には円柱１３が設置され、前記円柱１３の外側には回転ブロック１２が回転できるように設置され、前記円柱１３の中には片側に開口した第一スライド溝１８が設置され、前記第一スライド溝１８の中には押し光補充装置９１が設置され、前記第一スライド溝１８のもう一つの片側には吸着固定装置９３が設置されている。    
【００１４】
以下、前記位置調節装置を実現する具体実施方式を詳しく紹介し、前記位置調節装置は前記第一固定ブロック２７を含み、前記第一固定ブロック２７の中には片側に開口した位置制限溝２１が設置され、前記位置制限溝２１の中には工型スライダ２０がスライドできるように設置され、前記工型スライダ２０の間には対称のスライドロッド１９が固定的に設置され、前記円柱１３が前記スライドロッド１９にスライドできるように設置され、底端の前記第一固定ブロック２７には上下に貫通している連通溝２３が設置されている。
【００１５】
次に、図１〜２を参照し、本出願の前記押し光補充装置を詳しく紹介し、前記押し光補充装置は前記回転ブロック１２を含み、前記回転ブロック１２の頂端には光補充ライト１０が回転できるように設置され、前記光補充ライト１０の底端には第一接点１１が固定的に設置され、前記円柱１３と前記第一スライド溝１８との間には前記第一接点１１に接触している環状電気伝導柱１７が設置され、前記第一スライド溝１８の片側にはボタン１６がスライドできるように設置され、前記第一スライド溝１８のもう一つの側には第一スライダ４１がスライドできるように設置され、前記第一スライダ１４と前記ボタン１６との間には第一ばね２８が固定的に連結され、前記ボタン１６の頂端には第二接点１４が固定的に設置され、前記第二接点１４には電線１５が連結され、前記電線１５の末端にはプラグ２２が固定的に設置され、前記プラグ２２が前記連通溝２３の中に伸びて前記充電口２４に差し込むことができる。
【００１６】
有益的には、図１と図３に示すように、前記吸着固定装置は前記第一スライダ４１を含み、前記第一スライダ４１の片側には押しスイッチ３９が固定的に設置され、前記第一スライダ４１のもう一つの側には吸盤３６が固定的に設置され、前記第一スライダ４１の底端には第一ばね復帰機構３２が固定的に設置され、前記第一ばね復帰機構３２は前記第二スライド溝４４を含み、前記第二スライド溝４４の中には第二スライダ４３がスライドできるように設置され、前記第二スライド溝４４の片側端面と前記第二スライダ４３との間には第二ばね４２が固定的に連結され、前記押しスイッチ３９の外側には磁気伝導金属４０が固定的に設置され、前記ボタン１６の一端には頂ブロック２９が固定的に設置され、前記頂ブロック２９の末端には第一永久磁石３０が固定的に設置され、前記吸盤３６の中には前記第一スライダ４１と固定的に連結している第二固定ブロック３７が設置され、前記第二固定ブロック３７には第三スライダ３５が上下対称的に、スライドできるように設置され、前記磁気伝導金属４０の一端には第三スライド溝３３が設置され、前記第三スライド溝３３の中には第二永久磁石３４がスライドできるように設置され、前記第二永久磁石３４が前記第一永久磁石３０と吸引し合い、前記第二永久磁石３４の頂端には第二ばね復帰機構３８が固定的に設置され、前記第三スライダ３５と前記第二永久磁石３４との間には液圧パイプ４５が伝動できるように設置されている。
【００１７】
以下、出願人は付図１〜３及び上記の本出願のマルチアングル自撮り光補充ライトの具体的な構成を参照して本出願のマルチアングル自撮り光補充ライトの使用方法を詳しく紹介する：
【００１８】
まず、初期状態において、前記吸盤３６は前記携帯２５に吸着していなく、前記第三スライダ３５が前記吸盤３６を押し、前記第二永久磁石３４と前記磁気伝導金属４０とが互いに離れており、前記押しスイッチ３９が押されていなく、前記第一永久磁石３０が前記磁気伝導金属４０に接触していなく、前記第二接点１４が前記環状電気伝導柱１７に接触していなく、前記第一ばね２８が収縮状態にある。
【００１９】
本発明の設備は自撮りに光を補充するとき、前記携帯２５が前記凹溝２６を通して滑り入り、前記プラグ２２が前記連通溝２３に伸びて前記充電口２４の中に差し込み、前記設備が通電し始め、前記円柱１３をスライドさせて前記回転ブロック１２と前記光補充ライト１０とを回転させ、これにより光を補充する時に所要の角度と位置まで調節する。
【００２０】
位置と角度を選んだ後、前記ボタン１６を押し、前記ボタン１６が前記第一スライダ４１へスライドし、前記ボタン１６のスライドにより前記第二接点１４を前記環状電気伝導柱１７と接触させ、前記プラグ２２は前記電線１５により前記第二接点１４の中に給電し、前記第二接点１４は前記環状電気伝導柱１７により前記第一接点１１の中に給電し、前記第一接点１１が通電して前記光補充ライト１０をつけ、前記ボタン１６が押されて継続して前記第一スライダ４１へスライドし、前記第一スライダ４１は前記第一永久磁石３０に前記第一スライダ４１を押させ、前記第一スライダ４１が前記携帯２５へスライドし、前記吸盤３６が前記携帯２５に近接し、そして前記押しスイッチ３９が圧力を受けて片側へ収縮されて固定され、この時に前記第一永久磁石３０が前記磁気伝導金属４０と接触し、前記磁気伝導金属４０は前記第一永久磁石３０の磁力を前記第三スライド溝３３の片側まで伝導し，前記磁気伝導金属４０と前記第二永久磁石３４とが吸引し合い、前記第二永久磁石３４が前記磁気伝導金属４０に近接するようにスライドし、前記第二永久磁石３４は前記液圧パイプ４５により前記第三スライダ３５を連動させてスライドさせ、前記第三スライダ３５は前記吸盤３６を押さなくなり、この時に前記吸盤３６が前記携帯２５に貼り付き、設備が光補充ライトの定位操作を完成する。
【００２１】
光補充ライトを移動する又は変える時、再び前記ボタン１６を押し、前記ボタン１６が前記第一永久磁石３０に再び前記押しスイッチ３９を押させ、前記押しスイッチ３９が二回目の圧力を受けてから復帰し、前記磁気伝導金属４０と前記第一永久磁石３０との接触が断たれ、前記第二永久磁石３４は前記第二ばね復帰機構３８の作用のもとで初期位置に戻り、前記第三スライダ３５が再び前記吸盤３６を押し、前記吸盤３６が押されて変形し、変形した前記吸盤３６が空気を吸って前記携帯２５に貼り付かなくなり、前記第一スライダ４１が前記第一ばね復帰機構３２の作用のもとで初期位置に戻り、この時に設備が初期状態に戻り、継続して前記円柱１３をスライドさせ、且つ前記回転ブロック１２と前記光補充ライト１０を回転させ、光を補充する時の所要の角度と位置まで調節する。
【００２２】
以上のように、本発明のマルチアングル自撮り光補充ライトは運動エネルギーを巧みに利用し、感度がよく、操作が簡単であり、同時に、本発明の装置が正確的に定位でき、取り外しとメンテナンスが簡単であり、実用性が高い。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177899.tif 000003
【図２】
2020177899.tif 000004
【図３】
2020177899.tif 000005
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
正面視で、上下に配列された二つの第一固定ブロックを含み、前記第一固定ブロックの中には凹溝が設置され、前記凹溝の間に携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置され、
前記位置調節装置を実現する具体実施方式を詳しく紹介し、前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置され、
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができ、ボタンを押した後、第二接触点は環状電気伝導柱により光補充ライトに給電し、光補充ライトをつけて光を補充し、
前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置され、ボタンが第一スライダを押して吸盤を携帯電話の裏面に吸着させ、再び押すと第三スライダが吸盤を押して吸盤の形を変化させ、これにより吸盤が携帯電話の裏面との吸着から離脱することを特徴とする光補充ライト。
【手続補正２】
【補正対象書類名】明細書
【補正対象項目名】全文
【補正方法】変更
【補正の内容】
【発明の詳細な説明】
【技術分野】
【０００１】
本発明は光補充ライト分野を取り上げて、具体的には光補充ライトである。
【背景技術】
【０００２】
周知のように、人が自撮りをするとき、光補充ライトの方向と角度が撮った写真の品質に影響を与え、従来の光補充ライトは携帯電話に挟まれて角度と方向の調節ができなく、単一の方向又は角度に光を補充できなく、光を補充する時に環境に応じて調節することができなく、不便である。
そのため、光補充ライトを設計して上記の問題を解決する必要があり、マルチアングルの光補充を実現するとともに、設備の操作が簡単で、実用性が高い。
【先行技術文献】
【特許文献】
【０００３】
【特許文献１】中国特許出願公開第１０８８９７１８４号明細書
【発明の概要】
【発明が解決しようとする課題】
【０００４】
本発明が解決する技術問題は光補充ライトを提供し、それは上記の従来技術における問題を解決できる。
【課題を解決するための手段】
【０００５】
本発明は以下の技術プランを通じて実現する：本発明の光補充ライトは、上下に配列された二つの第一固定ブロックを含み、前記第一固定ブロックの中には凹溝が設置され、前記凹溝の間に携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置されている。
【０００６】
前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置されている。
【０００７】
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができる。
【０００８】
好ましくは、前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置されている。
【発明の効果】
【０００９】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の光補充ライトの全体構成模式図
【図２】図２は図１のＡの拡大構成模式図
【図３】図３は図１のＢの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３に示すように、本発明の光補充ライトは、上下に配列された二つの第一固定ブロック２７を含み、前記第一固定ブロック２７の中には凹溝２６が設置され、前記凹溝２６の間に携帯電話２５を置くことができ、前記携帯電話２５の底部には充電口２４が設置され、前記第一固定ブロック２７の左側には位置調節装置９０が設置され、前記携帯電話２５の左側には円柱１３が設置され、前記円柱１３の外側には回転ブロック１２が回転できるように設置され、前記円柱１３の中には第一スライド溝１８が設置され、前記第一スライド溝１８の中には押し光補充装置９１が設置され、前記第一スライド溝１８の右側には吸着固定装置９３が設置されている。    
【００１４】
以下、前記位置調節装置を実現する具体実施方式を詳しく紹介し、前記位置調節装置は前記第一固定ブロック２７を含み、前記第一固定ブロック２７の中には左向きの位置制限溝２１が設置され、前記位置制限溝２１の中には工型スライダ２０がスライドできるように設置され、上下両側に位置する前記工型スライダ２０の間には対称のスライドロッド１９が固定的に装着され、前記円柱１３が前記スライドロッド１９にスライドできるように設置され、底部の前記第一固定ブロック２７には前記第一固定ブロック２７を上下方向に貫通している連通溝２３が設置されている。
【００１５】
次に、図１〜２を参照し、本出願の前記押し光補充装置を詳しく紹介し、前記押し光補充装置は前記回転ブロック１２を含み、前記回転ブロック１２の頂部には光補充ライト１０が回転できるように設置され、前記光補充ライト１０の底部には第一接点１１が固定的に装着され、前記円柱１３と前記第一スライド溝１８との間には前記第一接点１１に接触している環状電気伝導柱１７が設置され、前記第一スライド溝１８の片側にはボタン１６がスライドできるように設置され、前記第一スライド溝１８のもう一つの側には第一スライダ４１がスライドできるように設置され、前記第一スライダ１４と前記ボタン１６との間には第一ばね２８が固定的に連結され、前記ボタン１６の頂部には第二接点１４が固定的に装着され、前記第二接点１４には電線１５が連結され、前記電線１５の末端にはプラグ２２が固定的に装着され、前記プラグ２２が前記連通溝２３の中に伸びて前記充電口２４に差し込むことができる。
【００１６】
有益的には、図１と図３に示すように、前記吸着固定装置は前記第一スライダ４１を含み、前記第一スライダ４１の左側には押しスイッチ３９が固定的に装着され、前記第一スライダ４１の右側には吸盤３６が固定的に装着され、前記第一スライダ４１の底部には第一ばね復帰機構３２が固定的に装着され、前記第一ばね復帰機構３２は前記第二スライド溝４４を含み、前記第二スライド溝４４の中には第二スライダ４３がスライドできるように設置され、前記第二スライド溝４４と前記第二スライダ４３との間には第二ばね４２が固定的に連結され、前記押しスイッチ３９の外側には磁気伝導金属４０が固定的に装着され、前記ボタン１６の一端には頂ブロック２９が固定的に装着され、前記頂ブロック２９の末端には第一永久磁石３０が固定的に装着され、前記吸盤３６の中には前記第一スライダ４１と固定的に連結している第二固定ブロック３７が設置され、前記第二固定ブロック３７の上側と下側にはいずれも第三スライダ３５が設置され、前記磁気伝導金属４０の一端には第三スライド溝３３が設置され、前記第三スライド溝３３の中には第二永久磁石３４がスライドできるように設置され、前記第二永久磁石３４が前記第一永久磁石３０と吸引し合い、前記第二永久磁石３４の頂部には第二ばね復帰機構３８が固定的に装着され、前記第三スライダ３５と前記第二永久磁石３４との間には液圧パイプ４５が伝動できるように設置されている。
【００１７】
以下、出願人は付図１〜３及び上記の本出願の光補充ライトの具体的な構成を参照して本出願の光補充ライトの使用方法を詳しく紹介する：
【００１８】
まず、初期状態において、前記吸盤３６は前記携帯電話２５に吸着していなく、前記第三スライダ３５が前記吸盤３６を押し、前記第二永久磁石３４と前記磁気伝導金属４０とが互いに離れており、前記押しスイッチ３９が押されていなく、前記第一永久磁石３０が前記磁気伝導金属４０に接触していなく、前記第二接点１４が前記環状電気伝導柱１７に接触していなく、前記第一ばね２８が収縮状態にある。
【００１９】
本発明の設備は自撮りに光を補充するとき、前記携帯電話２５が前記凹溝２６を通して滑り入り、前記プラグ２２が前記連通溝２３に伸びて前記充電口２４の中に差し込み、前記設備が通電し始め、前記円柱１３をスライドさせて前記回転ブロック１２と前記光補充ライト１０とを回転させ、これにより光を補充する時に所要の角度と位置まで調節する。
【００２０】
位置と角度を選んだ後、前記ボタン１６を押し、前記ボタン１６が前記第一スライダ４１へスライドし、前記ボタン１６のスライドにより前記第二接点１４を前記環状電気伝導柱１７と接触させ、前記プラグ２２は前記電線１５により前記第二接点１４の中に給電し、前記第二接点１４は前記環状電気伝導柱１７により前記第一接点１１の中に給電し、前記第一接点１１が通電して前記光補充ライト１０をつけ、前記ボタン１６が押されて継続して前記第一スライダ４１へスライドし、前記第一スライダ４１は前記第一永久磁石３０に前記第一スライダ４１を押させ、前記第一スライダ４１が前記携帯電話２５へスライドし、前記吸盤３６が前記携帯電話２５に近接し、そして前記押しスイッチ３９が圧力を受けて片側へ収縮されて固定され、この時に前記第一永久磁石３０が前記磁気伝導金属４０と接触し、前記磁気伝導金属４０は前記第一永久磁石３０の磁力を前記第三スライド溝３３の片側まで伝導し，前記磁気伝導金属４０と前記第二永久磁石３４とが吸引し合い、前記第二永久磁石３４が前記磁気伝導金属４０に近接するようにスライドし、前記第二永久磁石３４は前記液圧パイプ４５により前記第三スライダ３５を連動させてスライドさせ、前記第三スライダ３５は前記吸盤３６を押さなくなり、この時に前記吸盤３６が前記携帯電話２５に貼り付き、設備が光補充ライトの定位操作を完成する。
【００２１】
光補充ライトを移動する又は変える時、再び前記ボタン１６を押し、前記ボタン１６が前記第一永久磁石３０に再び前記押しスイッチ３９を押させ、前記押しスイッチ３９が二回目の圧力を受けてから復帰し、前記磁気伝導金属４０と前記第一永久磁石３０との接触が断たれ、前記第二永久磁石３４は前記第二ばね復帰機構３８の作用のもとで初期位置に戻り、前記第三スライダ３５が再び前記吸盤３６を押し、前記吸盤３６が押されて変形し、変形した前記吸盤３６が空気を吸って前記携帯電話２５に貼り付かなくなり、前記第一スライダ４１が前記第一ばね復帰機構３２の作用のもとで初期位置に戻り、この時に設備が初期状態に戻り、継続して前記円柱１３をスライドさせ、且つ前記回転ブロック１２と前記光補充ライト１０を回転させ、光を補充する時の所要の角度と位置まで調節する。
【００２２】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
正面視で、上下に配列された二つの第一固定ブロックを含み、前記第一固定ブロックの中には凹溝が設置され、前記凹溝の間に撮影機能を有する携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置され、
前記位置調節装置を実現する具体?施方式を詳しく紹介し、前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置され、
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができ、ボタンを押した後、第二接触点は環状電気伝導柱により光補充ライトに給電し、光補充ライトをつけて光を補充し、
前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置され、ボタンが第一スライダを押して吸盤を携帯電話の裏面に吸着させ、再び押すと第三スライダが吸盤を押して吸盤の形を変化させ、これにより吸盤が携帯電話の裏面との吸着から離脱することを特徴とする光補充ライト。
【手続補正２】
【補正対象書類名】明細書
【補正対象項目名】全文
【補正方法】変更
【補正の内容】
【発明の詳細な説明】
【技術分野】
【０００１】
本発明は光補充ライト分野を取り上げて、具体的には光補充ライトである。
【背景技術】
【０００２】
周知のように、人が自撮りをするとき、光補充ライトの方向と角度が撮った写真の品質に影響を与え、従来の光補充ライトは携帯電話に挟まれて角度と方向の調節ができなく、単一の方向又は角度に光を補充できなく、光を補充する時に環境に応じて調節することができなく、不便である。
そのため、光補充ライトを設計して上記の問題を解決する必要があり、マルチアングルの光補充を実現するとともに、設備の操作が簡単で、実用性が高い。
【先行技術文献】
【特許文献】
【０００３】
【特許文献１】中国特許出願公開第１０８８９７１８４号明細書
【発明の概要】
【発明が解決しようとする課題】
【０００４】
本発明が解決する技術問題は光補充ライトを提供し、それは上記の従来技術における問題を解決できる。
【課題を解決するための手段】
【０００５】
本発明は以下の技術プランを通じて実現する：本発明の光補充ライトは、上下に配列された二つの第一固定ブロックを含み、前記第一固定ブロックの中には凹溝が設置され、前記凹溝の間に撮影機能を有する携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置されている。
【０００６】
前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置されている。
【０００７】
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができる。
【０００８】
好ましくは、前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置されている。
【発明の効果】
【０００９】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の光補充ライトの全体構成模式図
【図２】図２は図１のＡの拡大構成模式図
【図３】図３は図１のＢの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３に示すように、本発明の光補充ライトは、上下に配列された二つの第一固定ブロック２７を含み、前記第一固定ブロック２７の中には凹溝２６が設置され、前記凹溝２６の間に撮影機能を有する携帯電話２５を置くことができ、前記携帯電話２５の底部には充電口２４が設置され、前記第一固定ブロック２７の左側には位置調節装置９０が設置され、前記携帯電話２５の左側には円柱１３が設置され、前記円柱１３の外側には回転ブロック１２が回転できるように設置され、前記円柱１３の中には第一スライド溝１８が設置され、前記第一スライド溝１８の中には押し光補充装置９１が設置され、前記第一スライド溝１８の右側には吸着固定装置９３が設置されている。    
【００１４】
以下、前記位置調節装置を実現する具体?施方式を詳しく紹介し、前記位置調節装置は前記第一固定ブロック２７を含み、前記第一固定ブロック２７の中には左向きの位置制限溝２１が設置され、前記位置制限溝２１の中には工型スライダ２０がスライドできるように設置され、上下両側に位置する前記工型スライダ２０の間には対称のスライドロッド１９が固定的に装着され、前記円柱１３が前記スライドロッド１９にスライドできるように設置され、底部の前記第一固定ブロック２７には前記第一固定ブロック２７を上下方向に貫通している連通溝２３が設置されている。
【００１５】
次に、図１〜２を参照し、本出願の前記押し光補充装置を詳しく紹介し、前記押し光補充装置は前記回転ブロック１２を含み、前記回転ブロック１２の頂部には光補充ライト１０が回転できるように設置され、前記光補充ライト１０の底部には第一接点１１が固定的に装着され、前記円柱１３と前記第一スライド溝１８との間には前記第一接点１１に接触している環状電気伝導柱１７が設置され、前記第一スライド溝１８の片側にはボタン１６がスライドできるように設置され、前記第一スライド溝１８のもう一つの側には第一スライダ４１がスライドできるように設置され、前記第一スライダ１４と前記ボタン１６との間には第一ばね２８が固定的に連結され、前記ボタン１６の頂部には第二接点１４が固定的に装着され、前記第二接点１４には電線１５が連結され、前記電線１５の末端にはプラグ２２が固定的に装着され、前記プラグ２２が前記連通溝２３の中に伸びて前記充電口２４に差し込むことができる。
【００１６】
有益的には、図１と図３に示すように、前記吸着固定装置は前記第一スライダ４１を含み、前記第一スライダ４１の左側には押しスイッチ３９が固定的に装着され、前記第一スライダ４１の右側には吸盤３６が固定的に装着され、前記第一スライダ４１の底部には第一ばね復帰機構３２が固定的に装着され、前記第一ばね復帰機構３２は前記第二スライド溝４４を含み、前記第二スライド溝４４の中には第二スライダ４３がスライドできるように設置され、前記第二スライド溝４４と前記第二スライダ４３との間には第二ばね４２が固定的に連結され、前記押しスイッチ３９の外側には磁気伝導金属４０が固定的に装着され、前記ボタン１６の一端には頂ブロック２９が固定的に装着され、前記頂ブロック２９の末端には第一永久磁石３０が固定的に装着され、前記吸盤３６の中には前記第一スライダ４１と固定的に連結している第二固定ブロック３７が設置され、前記第二固定ブロック３７の上側と下側にはいずれも第三スライダ３５が設置され、前記磁気伝導金属４０の一端には第三スライド溝３３が設置され、前記第三スライド溝３３の中には第二永久磁石３４がスライドできるように設置され、前記第二永久磁石３４が前記第一永久磁石３０と吸引し合い、前記第二永久磁石３４の頂部には第二ばね復帰機構３８が固定的に装着され、前記第三スライダ３５と前記第二永久磁石３４との間には液圧パイプ４５が伝動できるように設置されている。
【００１７】
以下、出願人は付図１〜３及び上記の本出願の光補充ライトの具体的な構成を参照して本出願の光補充ライトの使用方法を詳しく紹介する：
【００１８】
まず、初期状態において、前記吸盤３６は前記携帯電話２５に吸着していなく、前記第三スライダ３５が前記吸盤３６を押し、前記第二永久磁石３４と前記磁気伝導金属４０とが互いに離れており、前記押しスイッチ３９が押されていなく、前記第一永久磁石３０が前記磁気伝導金属４０に接触していなく、前記第二接点１４が前記環状電気伝導柱１７に接触していなく、前記第一ばね２８が収縮状態にある。
【００１９】
本発明の設備は自撮りに光を補充するとき、前記携帯電話２５が前記凹溝２６を通して滑り入り、前記プラグ２２が前記連通溝２３に伸びて前記充電口２４の中に差し込み、前記設備が通電し始め、前記円柱１３をスライドさせて前記回転ブロック１２と前記光補充ライト１０とを回転させ、これにより光を補充する時に所要の角度と位置まで調節する。
【００２０】
位置と角度を選んだ後、前記ボタン１６を押し、前記ボタン１６が前記第一スライダ４１へスライドし、前記ボタン１６のスライドにより前記第二接点１４を前記環状電気伝導柱１７と接触させ、前記プラグ２２は前記電線１５により前記第二接点１４の中に給電し、前記第二接点１４は前記環状電気伝導柱１７により前記第一接点１１の中に給電し、前記第一接点１１が通電して前記光補充ライト１０をつけ、前記ボタン１６が押されて継続して前記第一スライダ４１へスライドし、前記第一スライダ４１は前記第一永久磁石３０に前記第一スライダ４１を押させ、前記第一スライダ４１が前記携帯電話２５へスライドし、前記吸盤３６が前記携帯電話２５に近接し、そして前記押しスイッチ３９が圧力を受けて片側へ収縮されて固定され、この時に前記第一永久磁石３０が前記磁気伝導金属４０と接触し、前記磁気伝導金属４０は前記第一永久磁石３０の磁力を前記第三スライド溝３３の片側まで伝導し，前記磁気伝導金属４０と前記第二永久磁石３４とが吸引し合い、前記第二永久磁石３４が前記磁気伝導金属４０に近接するようにスライドし、前記第二永久磁石３４は前記液圧パイプ４５により前記第三スライダ３５を連動させてスライドさせ、前記第三スライダ３５は前記吸盤３６を押さなくなり、この時に前記吸盤３６が前記携帯電話２５に貼り付き、設備が光補充ライトの定位操作を完成する。
【００２１】
光補充ライトを移動する又は変える時、再び前記ボタン１６を押し、前記ボタン１６が前記第一永久磁石３０に再び前記押しスイッチ３９を押させ、前記押しスイッチ３９が二回目の圧力を受けてから復帰し、前記磁気伝導金属４０と前記第一永久磁石３０との接触が断たれ、前記第二永久磁石３４は前記第二ばね復帰機構３８の作用のもとで初期位置に戻り、前記第三スライダ３５が再び前記吸盤３６を押し、前記吸盤３６が押されて変形し、変形した前記吸盤３６が空気を吸って前記携帯電話２５に貼り付かなくなり、前記第一スライダ４１が前記第一ばね復帰機構３２の作用のもとで初期位置に戻り、この時に設備が初期状態に戻り、継続して前記円柱１３をスライドさせ、且つ前記回転ブロック１２と前記光補充ライト１０を回転させ、光を補充する時の所要の角度と位置まで調節する。
【００２２】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
正面視で、上下に配列された二つの第一固定ブロックを含み、前記第一固定ブロックの中には凹溝が設置され、前記凹溝の間に撮影機能を有する携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置され、
前記位置調節装置を実現する具体的実施方式を詳しく紹介し、前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置され、
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができ、ボタンを押した後、第二接触点は環状電気伝導柱により光補充ライトに給電し、光補充ライトをつけて光を補充し、
前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置され、ボタンが第一スライダを押して吸盤を携帯電話の裏面に吸着させ、再び押すと第三スライダが吸盤を押して吸盤の形を変化させ、これにより吸盤が携帯電話の裏面との吸着から離脱することを特徴とする光補充ライト。
【手続補正２】
【補正対象書類名】明細書
【補正対象項目名】全文
【補正方法】変更
【補正の内容】
【発明の詳細な説明】
【技術分野】
【０００１】
本発明は光補充ライト分野を取り上げて、具体的には光補充ライトである。
【背景技術】
【０００２】
周知のように、人が自撮りをするとき、光補充ライトの方向と角度が撮った写真の品質に影響を与え、従来の光補充ライトは携帯電話に挟まれて角度と方向の調節ができなく、単一の方向又は角度に光を補充できなく、光を補充する時に環境に応じて調節することができなく、不便である。
そのため、光補充ライトを設計して上記の問題を解決する必要があり、マルチアングルの光補充を実現するとともに、設備の操作が簡単で、実用性が高い。
【先行技術文献】
【特許文献】
【０００３】
【特許文献１】中国特許出願公開第１０８８９７１８４号明細書
【発明の概要】
【発明が解決しようとする課題】
【０００４】
本発明が解決する技術問題は光補充ライトを提供し、それは上記の従来技術における問題を解決できる。
【課題を解決するための手段】
【０００５】
本発明は以下の技術プランを通じて実現する：本発明の光補充ライトは、上下に配列された二つの第一固定ブロックを含み、前記第一固定ブロックの中には凹溝が設置され、前記凹溝の間に撮影機能を有する携帯電話を置くことができ、前記携帯電話の底部には充電口が設置され、前記第一固定ブロックの左側には位置調節装置が設置され、前記携帯電話の左側には円柱が設置され、前記円柱の外側には回転ブロックが回転できるように設置され、前記円柱の中には第一スライド溝が設置され、前記第一スライド溝の中には押し光補充装置が設置され、前記第一スライド溝の右側には吸着固定装置が設置されている。
【０００６】
前記位置調節装置は前記第一固定ブロックを含み、前記第一固定ブロックの中には左向きの位置制限溝が設置され、前記位置制限溝の中には工型スライダがスライドできるように設置され、上下両側に位置する前記工型スライダの間には対称のスライドロッドが固定的に装着され、前記円柱が前記スライドロッドにスライドできるように設置され、底部の前記第一固定ブロックには前記第一固定ブロックを上下方向に貫通している連通溝が設置されている。
【０００７】
前記押し光補充装置は前記回転ブロックを含み、前記回転ブロックの頂部には光補充ライトが回転できるように設置され、前記光補充ライトの底部には第一接点が固定的に装着され、前記円柱と前記第一スライド溝との間には前記第一接点に接触している環状電気伝導柱が設置され、前記第一スライド溝の片側にはボタンがスライドできるように設置され、前記第一スライド溝のもう一つの側には第一スライダがスライドできるように設置され、前記第一スライダと前記ボタンとの間には第一ばねが固定的に連結され、前記ボタンの頂部には第二接点が固定的に装着され、前記第二接点には電線が連結され、前記電線の末端にはプラグが固定的に装着され、前記プラグが前記連通溝の中に伸びて前記充電口に差し込むことができる。
【０００８】
好ましくは、前記吸着固定装置は前記第一スライダを含み、前記第一スライダの左側には押しスイッチが固定的に装着され、前記第一スライダの右側には吸盤が固定的に装着され、前記第一スライダの底部には第一ばね復帰機構が固定的に装着され、前記第一ばね復帰機構は前記第二スライド溝を含み、前記第二スライド溝の中には第二スライダがスライドできるように設置され、前記第二スライド溝と前記第二スライダとの間には第二ばねが固定的に連結され、前記押しスイッチの外側には磁気伝導金属が固定的に装着され、前記ボタンの一端には頂ブロックが固定的に装着され、前記頂ブロックの末端には第一永久磁石が固定的に装着され、前記吸盤の中には前記第一スライダと固定的に連結している第二固定ブロックが設置され、前記第二固定ブロックの上側と下側にはいずれも第三スライダが設置され、前記磁気伝導金属の一端には第三スライド溝が設置され、前記第三スライド溝の中には第二永久磁石がスライドできるように設置され、前記第二永久磁石が前記第一永久磁石と吸引し合い、前記第二永久磁石の頂部には第二ばね復帰機構が固定的に装着され、前記第三スライダと前記第二永久磁石との間には液圧パイプが伝動できるように設置されている。
【発明の効果】
【０００９】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の光補充ライトの全体構成模式図
【図２】図２は図１のＡの拡大構成模式図
【図３】図３は図１のＢの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３に示すように、本発明の光補充ライトは、上下に配列された二つの第一固定ブロック２７を含み、前記第一固定ブロック２７の中には凹溝２６が設置され、前記凹溝２６の間に撮影機能を有する携帯電話２５を置くことができ、前記携帯電話２５の底部には充電口２４が設置され、前記第一固定ブロック２７の左側には位置調節装置９０が設置され、前記携帯電話２５の左側には円柱１３が設置され、前記円柱１３の外側には回転ブロック１２が回転できるように設置され、前記円柱１３の中には第一スライド溝１８が設置され、前記第一スライド溝１８の中には押し光補充装置９１が設置され、前記第一スライド溝１８の右側には吸着固定装置９３が設置されている。    
【００１４】
以下、前記位置調節装置を実現する具体的実施方式を詳しく紹介し、前記位置調節装置は前記第一固定ブロック２７を含み、前記第一固定ブロック２７の中には左向きの位置制限溝２１が設置され、前記位置制限溝２１の中には工型スライダ２０がスライドできるように設置され、上下両側に位置する前記工型スライダ２０の間には対称のスライドロッド１９が固定的に装着され、前記円柱１３が前記スライドロッド１９にスライドできるように設置され、底部の前記第一固定ブロック２７には前記第一固定ブロック２７を上下方向に貫通している連通溝２３が設置されている。
【００１５】
次に、図１〜２を参照し、本出願の前記押し光補充装置を詳しく紹介し、前記押し光補充装置は前記回転ブロック１２を含み、前記回転ブロック１２の頂部には光補充ライト１０が回転できるように設置され、前記光補充ライト１０の底部には第一接点１１が固定的に装着され、前記円柱１３と前記第一スライド溝１８との間には前記第一接点１１に接触している環状電気伝導柱１７が設置され、前記第一スライド溝１８の片側にはボタン１６がスライドできるように設置され、前記第一スライド溝１８のもう一つの側には第一スライダ４１がスライドできるように設置され、前記第一スライダ１４と前記ボタン１６との間には第一ばね２８が固定的に連結され、前記ボタン１６の頂部には第二接点１４が固定的に装着され、前記第二接点１４には電線１５が連結され、前記電線１５の末端にはプラグ２２が固定的に装着され、前記プラグ２２が前記連通溝２３の中に伸びて前記充電口２４に差し込むことができる。
【００１６】
有益的には、図１と図３に示すように、前記吸着固定装置は前記第一スライダ４１を含み、前記第一スライダ４１の左側には押しスイッチ３９が固定的に装着され、前記第一スライダ４１の右側には吸盤３６が固定的に装着され、前記第一スライダ４１の底部には第一ばね復帰機構３２が固定的に装着され、前記第一ばね復帰機構３２は前記第二スライド溝４４を含み、前記第二スライド溝４４の中には第二スライダ４３がスライドできるように設置され、前記第二スライド溝４４と前記第二スライダ４３との間には第二ばね４２が固定的に連結され、前記押しスイッチ３９の外側には磁気伝導金属４０が固定的に装着され、前記ボタン１６の一端には頂ブロック２９が固定的に装着され、前記頂ブロック２９の末端には第一永久磁石３０が固定的に装着され、前記吸盤３６の中には前記第一スライダ４１と固定的に連結している第二固定ブロック３７が設置され、前記第二固定ブロック３７の上側と下側にはいずれも第三スライダ３５が設置され、前記磁気伝導金属４０の一端には第三スライド溝３３が設置され、前記第三スライド溝３３の中には第二永久磁石３４がスライドできるように設置され、前記第二永久磁石３４が前記第一永久磁石３０と吸引し合い、前記第二永久磁石３４の頂部には第二ばね復帰機構３８が固定的に装着され、前記第三スライダ３５と前記第二永久磁石３４との間には液圧パイプ４５が伝動できるように設置されている。
【００１７】
以下、出願人は付図１〜３及び上記の本出願の光補充ライトの具体的な構成を参照して本出願の光補充ライトの使用方法を詳しく紹介する：
【００１８】
まず、初期状態において、前記吸盤３６は前記携帯電話２５に吸着していなく、前記第三スライダ３５が前記吸盤３６を押し、前記第二永久磁石３４と前記磁気伝導金属４０とが互いに離れており、前記押しスイッチ３９が押されていなく、前記第一永久磁石３０が前記磁気伝導金属４０に接触していなく、前記第二接点１４が前記環状電気伝導柱１７に接触していなく、前記第一ばね２８が収縮状態にある。
【００１９】
本発明の設備は自撮りに光を補充するとき、前記携帯電話２５が前記凹溝２６を通して滑り入り、前記プラグ２２が前記連通溝２３に伸びて前記充電口２４の中に差し込み、前記設備が通電し始め、前記円柱１３をスライドさせて前記回転ブロック１２と前記光補充ライト１０とを回転させ、これにより光を補充する時に所要の角度と位置まで調節する。
【００２０】
位置と角度を選んだ後、前記ボタン１６を押し、前記ボタン１６が前記第一スライダ４１へスライドし、前記ボタン１６のスライドにより前記第二接点１４を前記環状電気伝導柱１７と接触させ、前記プラグ２２は前記電線１５により前記第二接点１４の中に給電し、前記第二接点１４は前記環状電気伝導柱１７により前記第一接点１１の中に給電し、前記第一接点１１が通電して前記光補充ライト１０をつけ、前記ボタン１６が押されて継続して前記第一スライダ４１へスライドし、前記第一スライダ４１は前記第一永久磁石３０に前記第一スライダ４１を押させ、前記第一スライダ４１が前記携帯電話２５へスライドし、前記吸盤３６が前記携帯電話２５に近接し、そして前記押しスイッチ３９が圧力を受けて片側へ収縮されて固定され、この時に前記第一永久磁石３０が前記磁気伝導金属４０と接触し、前記磁気伝導金属４０は前記第一永久磁石３０の磁力を前記第三スライド溝３３の片側まで伝導し，前記磁気伝導金属４０と前記第二永久磁石３４とが吸引し合い、前記第二永久磁石３４が前記磁気伝導金属４０に近接するようにスライドし、前記第二永久磁石３４は前記液圧パイプ４５により前記第三スライダ３５を連動させてスライドさせ、前記第三スライダ３５は前記吸盤３６を押さなくなり、この時に前記吸盤３６が前記携帯電話２５に貼り付き、設備が光補充ライトの定位操作を完成する。
【００２１】
光補充ライトを移動する又は変える時、再び前記ボタン１６を押し、前記ボタン１６が前記第一永久磁石３０に再び前記押しスイッチ３９を押させ、前記押しスイッチ３９が二回目の圧力を受けてから復帰し、前記磁気伝導金属４０と前記第一永久磁石３０との接触が断たれ、前記第二永久磁石３４は前記第二ばね復帰機構３８の作用のもとで初期位置に戻り、前記第三スライダ３５が再び前記吸盤３６を押し、前記吸盤３６が押されて変形し、変形した前記吸盤３６が空気を吸って前記携帯電話２５に貼り付かなくなり、前記第一スライダ４１が前記第一ばね復帰機構３２の作用のもとで初期位置に戻り、この時に設備が初期状態に戻り、継続して前記円柱１３をスライドさせ、且つ前記回転ブロック１２と前記光補充ライト１０を回転させ、光を補充する時の所要の角度と位置まで調節する。
【００２２】
以上のように、本発明の光補充ライトは運動エネルギーを巧みに利用し、感度がよく、操作が簡単であり、同時に、本発明の装置が正確的に定位でき、取り外しとメンテナンスが簡単であり、実用性が高い。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。